(57)【要約】【課題】磨耗粉の発生をより確実に低減すること。【解決手段】記録媒体１０上において該記録媒体１０に対するデータの読出し又は書込みを行うヘッド１３ａと、ヘッド１３ａを支持するヘッドサスペンション１２３ａと、ヘッドサスペンション１２３ａのヘッド１３ａ側の先端から延在するリフトタブ１２４ａと、記録媒体１０ａから離間した退避位置においてリフトタブ１２４ａを保持するランプ機構１４とを備え、ランプ機構１４は、回転軸２１０と、回転軸２１０に回転可能に支持され、記録媒体１０ａ上からヘッド１３ａとともに退避してきたリフトタブ１２４ａと接触することで当該退避方向に回転して、リフトタブ１２４ａを退避位置に案内して退避させる円盤２２０ａ〜２２０ｄとを備える。【選択図】図４−１
2010238343.tif 000002
【特許請求の範囲】
【請求項１】
記録媒体上において該記録媒体に対するデータの読出し又は書込みを行うヘッドと、
前記ヘッドを支持するヘッドサスペンションと、
前記ヘッドサスペンションの前記ヘッド側の先端から延在するリフトタブと、
前記記録媒体から離間した退避位置において前記リフトタブを保持するランプ機構とを備え、
前記ランプ機構は、
回転軸と、
前記回転軸に回転可能に支持され、前記記録媒体上から前記ヘッドとともに退避してきたリフトタブと接触することで当該退避方向に回転して、前記リフトタブを前記退避位置に案内して退避させる円盤と
を備えたことを特徴とする記憶装置。
【請求項２】
前記回転軸は、前記円盤を前記退避方向のみ回転可能に支持することを特徴とする請求項１に記載の記憶装置。
【請求項３】
前記円盤は、中心から外周方向に向かって傾斜する傾斜部を有し、前記記録媒体から退避してきたリフトタブが該傾斜部と接触することを特徴とする請求項１又は２に記載の記憶装置。
【請求項４】
前記ランプ機構は、前記円盤の回転により案内されたリフトタブを前記退避位置で保持するパーキング部をさらに備えたことを特徴とする請求項１〜３の何れか１項に記載の記憶装置。
【請求項５】
前記回転軸は、前記パーキング部が形成された本体部に両端を固定されることを特徴とする請求項４に記載の記憶装置。
【請求項６】
ヘッドを支持するヘッドサスペンションの先端から延在するリフトタブを、前記記録媒体から離間した退避位置において保持するランプ機構であって、
回転軸と、
前記回転軸に回転可能に支持され、前記記録媒体上から前記ヘッドとともに退避してきたリフトタブと接触することで当該退避方向に回転して、前記リフトタブを前記退避位置に案内して退避させる円盤と
を備えたことを特徴とするランプ機構。
【発明の詳細な説明】
【技術分野】
【０００１】
本発明は、記憶装置およびランプ機構に関する。
【背景技術】
【０００２】
近年、ハードディスクドライブ（ＨＤＤ）等の記憶装置は、低価格化に伴い、モバイルＰＣ/ＰＣ用外付け携帯メモリー/ビデオ/カメラ/携帯電話等に採用されるなど、可搬記録媒体として飛躍的に普及しつつある。そこで、かかる記憶装置におけるヘッドのローディング方式は、耐衝撃性の向上など可搬記録媒体としての信頼性確保のため、従来のコンタクトスタート・ストップ（ＣＳＳ）方式に替えて、ランプロード方式が採用されるケースが増えている。ランプロード方式とは、記録媒体の停止時において、記録媒体外に設けたランプ機構にヘッドを退避させる方式である。
【０００３】
図６は、従来における記憶装置の内部構造を示す斜視図である。図６に示すように、ランプ機構５１０は、記録媒体５２０の最外周の近傍に設けられる。記録媒体５２０の回転が停止すると、ヘッドサスペンション５３１によって支持されたヘッド５３２は、記録媒体５２０上から記録媒体５２０外へと移動する。そして、ヘッド５３２は、ヘッドサスペンション５３１の先端に形成されたリフトタブ５３３がランプ機構５１０に乗り上げることにより、該ランプ機構５１０に固定される。
【０００４】
図７−１に、従来におけるランプ機構の平面図を、図７−２に、従来におけるランプ機構の側面図を示す。図７−１，図７−２に示すように、ランプ機構５１０には、ランプスロープ部５１１と、パーキング部５１２とが形成されている。ランプスロープ部５１１は、記録媒体５２０の記録領域に向かって傾斜する媒体側傾斜部５１１ａと、パーキング部５１２に向かって傾斜するパーキング側傾斜部５１１ｂとを有し、記録媒体５２０上から記録媒体５２０外へと退避してきたリフトタブ５３３を摺動させながらパーキング部５１２へと案内する。また、パーキング部５１２は、ランプスロープ部５１１のパーキング側傾斜部５１１ｂと連続する平坦面であって、ランプスロープ部５１１により案内されてきたリフトタブ５３３を停止させておく部分である。
【０００５】
また、ランプ機構５１０は、ランプスロープ部５１１の媒体側傾斜部５１１ａが平面視において記録媒体５２０の外周端近傍と重なるように配置されている。なお、図中、５１３は、ヘッド５３２同士の衝突を防止するためのジャンプストッパである。また、記憶装置は、２枚の記録媒体５２０を備えるとともに、これら２枚の記録媒体５２０の両面にそれぞれ形成された記録領域に対してデータの読み書きを行う４つのヘッド５３２を備える。そのため、図７−２に示すように、ランプ機構５１０には、４つのランプスロープ部５１１および４つのパーキング部５１２が形成されている。
【０００６】
続いて、ヘッド５３２を記録媒体５２０上から退避させランプ機構５１０へと移動させる動作であるアンロード動作について説明する。図８は、従来におけるランプ機構の拡大図である。ヘッド５３２のアンロードを行った場合、先ず、ヘッドサスペンション５３１の先端に形成されたリフトタブ５３３が、ランプスロープ部５１１の媒体側傾斜部５１１ａに衝突する。その後、ヘッド５３２がさらにアンロード方向へと移動すると、リフトタブ５３３は、ランプスロープ部５１１にガイドされながら媒体側傾斜部５１１ａを上った後、パーキング側傾斜部５１１ｂを滑り落ちて、パーキング部５１２へと至り、パーキング部５１２で停止する。
【０００７】
このように、ランプロード方式では、電源ＯＦＦ時など記録媒体５２０の回転が停止している場合に、記録媒体５２０から離間した位置に設けられたランプ機構５１０にヘッド５３２を退避させておくため、記録媒体５２０とヘッドとが接触するおそれがなく、記録媒体５２０内側のＣＳＳゾーンにヘッドを着地させるＣＳＳ方式と比べて安全性が高い。
【０００８】
ところで、ランプロード方式には、ヘッド５３２のロード/アンロード動作時に、リフトタブ５３３とランプ機構５１０とが擦れて磨耗粉が発生し、ヘッド５３２や記録媒体５２０に悪影響を与えるという問題がある。図９は、リフトタブ５３３により削られた媒体側傾斜部５１１ａの拡大図である。図９に示すように、媒体側傾斜部５１１ａは、リフトタブ５３３の突入によって複数個所が削られている。このように複数の磨耗箇所が存在するのは、媒体側傾斜部５１１ａに突入した際の衝撃が強く、リフトタブ５３３がバウンドしながら媒体側傾斜部５１１ａ上を移動していくためである。
【０００９】
また、図１０にリフトタブ５３３周辺の拡大図を示す。図１０に示すように、ヘッド５３２のロード／アンロード動作を繰り返すことにより、リフトタブ５３３には、磨耗粉がこびり付く。このようにリフトタブ５３３にこびり付いた磨耗粉は、リフトタブ５３３とランプ機構５１０との摩擦を促進させるため、さらなる磨耗粉の発生を加速させる原因ともなる。また、温度環境の変化によりランプ機構１４の材料である樹脂が変化し、磨耗粉の発生量が増加する場合もある。例えば、温度が高い場合、樹脂が軟らかくなり、リフトタブ５３３によって削られ易くなるため、磨耗粉の発生量が増加する。近年においては、記録密度の向上等によりヘッド５３２と記録媒体５２０との間のスペーシングも微小化傾向にあり、このような摩耗粉の発生をいかに防ぐかが重要な課題となっている。
【００１０】
磨耗粉の発生を抑制するための技術として、例えば、特許文献１には、媒体側傾斜部５１１ａ、パーキング側傾斜部５１１ｂ以外の平坦面部分に球又はローラを複数設けることにより、ヘッド５３２のロード／アンロード時におけるリフトタブ５３３とランプ機構５１０との摩擦を低減し、磨耗粉の発生を防止するランプ機構が開示されている。
【先行技術文献】
【特許文献】
【００１１】
【特許文献１】特開２００２−７４８７４号公報
【発明の概要】
【発明が解決しようとする課題】
【００１２】
しかしながら、磨耗粉は、その大半が、ヘッド５３２のアンロード時におけるリフトタブ５３３と媒体側傾斜部５１１ａとの衝突によって発生する。
【００１３】
具体的には、ヘッド５３２のアンロード動作は、記録媒体５２０の回転を停止させた際に、スピンドルモータのイナーシャによって発生する逆起電圧を利用して行われる。そのため、ヘッド５３２のアンロード動作は、スピンドルモータからの逆起電圧を得られるうちに、できるだけ早く行うのが好ましい。一方、ヘッド５３２のロード動作は、ランプ機構５１０から移動してきたヘッド５３２が記録媒体５２０を傷つけないよう、ある程度ゆっくりした速さで行われる。このように、ロード時にはなるべくゆっくり移動させる一方、アンロード時にはなるべく早く移動させることから、アンロード時のヘッド５３２の移動速度は、ロード時のヘッド５３２の移動速度と比べて１０倍程度速くなる。
【００１４】
そして、ヘッド５３２のアンロード時の移動速度は、アンロード動作を開始した直後が最も速く、アンロード時にリフトタブ５３３と最初に接触する媒体側傾斜部５１１ａがリフトタブ５３３から最も大きな衝突エネルギーを受けるため、媒体側傾斜部５１１ａから大量の磨耗粉が発生することとなる。なお、ヘッド５３２のロード時の移動速度は、アンロード時と比べて１０分の１程度であるため、ロード時における磨耗粉の発生はほとんどない。
【００１５】
このように媒体側傾斜部５１１ａから発生する磨耗粉と比較して、媒体側傾斜部５１１ａ以外から発生する磨耗粉は少量であるため、従来技術のように媒体側傾斜部以外の部分に摩擦を低減する工夫を施したとしても、磨耗粉の発生の根本的な解決にはならない。
【００１６】
開示の技術は、上記に鑑みてなされたものであって、磨耗粉の発生をより確実に低減することのできる記憶装置およびランプ機構を提供することを目的とする。
【課題を解決するための手段】
【００１７】
本願の開示する記憶装置は、一つの態様において、記録媒体上において該記録媒体に対するデータの読出し又は書込みを行うヘッドと、前記ヘッドを支持するヘッドサスペンションと、前記ヘッドサスペンションの前記ヘッド側の先端から延在するリフトタブと、前記記録媒体から離間した退避位置において前記リフトタブを保持するランプ機構とを備え、前記ランプ機構は、回転軸と、前記回転軸に回転可能に支持され、前記記録媒体上から前記ヘッドとともに退避してきたリフトタブと接触することで当該退避方向に回転して、前記リフトタブを前記退避位置に案内して退避させる円盤とを備える。
【発明の効果】
【００１８】
本願の開示する記憶装置およびランプ機構の一つの態様によれば、磨耗粉の発生をより確実に低減することができるという効果を奏する。
【図面の簡単な説明】
【００１９】
【図１】図１は、本実施例における記憶装置の内部構造を示す斜視図である。
【図２】図２は、本実施例におけるランプスロープ部の概略斜視図である。
【図３−１】図３−１は、本実施例におけるランプ機構の平面図である。
【図３−２】図３−２は、本実施例におけるランプ機構の側面図である。
【図４−１】図４−１は、記録媒体上から退避してきたリフトタブがランプスロープ部に接触する様子を示した図である。
【図４−２】図４−２は、リフトタブが円盤の回転に伴ってパーキング部へと案内される様子を示した図である。
【図４−３】図４−３は、リフトタブがパーキング部において保持される様子を示した図である。
【図５】図５は、本実施例におけるランプスロープ部の他の一例を示す側面図である。
【図６】図６は、従来における記憶装置の内部構造を示す斜視図である。
【図７−１】図７−１は、従来におけるランプ機構の平面図である。
【図７−２】図７−２は、従来におけるランプ機構の側面図である。
【図８】図８は、従来におけるランプ機構の拡大図である。
【図９】図９は、リフトタブにより削られた媒体側傾斜部の拡大図である。
【図１０】図１０は、リフトタブ周辺の拡大図である。
【発明を実施するための形態】
【００２０】
以下に、本願の開示する記憶装置およびランプ機構の実施例を図面に基づいて詳細に説明する。なお、この実施例によりこの発明が限定されるものではない。
【実施例】
【００２１】
図１は、本実施例にかかる記憶装置の内部構造を示す斜視図である。図１に示すように、記憶装置１は、２枚の記録媒体１０ａ，１０ｂと、ＶＣＭ（Voice  Coil  Motor）１１と、ヘッド支持機構１２と、４個のヘッド１３ａ〜１３ｄと、ランプ機構１４とを備える。
【００２２】
記録媒体１０ａ，１０ｂは、金属またはガラス製のディスク状の基板の両面に磁性膜を形成した記録媒体である。すなわち、本実施例にかかる記録媒体１０ａ，１０ｂは、データの記録が可能な記録領域を両面に備える。また、本実施例にかかる記憶装置１は、各記録媒体１０ａ，１０ｂを所定の間隔で積層し、スピンドルモータ１００により各記録媒体１０ａ，１０ｂを一体的に回転させる。なお、以下では、図１に示すように、記録媒体１０ａ，１０ｂの積層方向をｚ方向、記憶装置１の長手方向をｙ方向、記憶装置１の短手方向をｘ方向として説明する。また、以下において、記録媒体１０ａ，１０ｂのうち、任意の記録媒体１０ａ，１０ｂを単に記録媒体１０と表現する。
【００２３】
ＶＣＭ１１は、磁界中のコイルに制御電流を流すことによって発生する力により、ヘッド支持機構１２の回転変位を発生させるモータである。具体的には、ＶＣＭ１１は、制御電流が印加されると、ヘッド支持機構１２の回転方向、回転位置および回転速度を制御してヘッド支持機構１２を所定の位置へと揺動させる。
【００２４】
ヘッド支持機構１２は、ＶＣＭ１１の駆動により揺動し、先端に取り付けたヘッド１３ａ〜１３ｄの位置決めを行う。具体的には、ヘッド支持機構１２は、回転軸１２１と、３つのアーム１２２ａ〜１２２ｃと、４つのヘッドサスペンション１２３ａ〜１２３ｄとを備える。回転軸１２１は、ＶＣＭ１１の駆動に従って回転する回転軸であり、アーム１２２ａ〜１２２ｃを回転可能に支持する。アーム１２２ａ〜１２２ｃは、一端を回転軸１２１に回転可能に支持されるとともに、他端にはヘッドサスペンション１２３ａ〜１２３ｄがかしめにより取り付けられている。具体的には、アーム１２２ａには、ヘッドサスペンション１２３ａが取り付けられ、アーム１２２ｂには、ヘッドサスペンション１２３ｂ，１２３ｃが取り付けられ、アーム１２２ｃには、ヘッドサスペンション１２３ｄが取り付けられる。これらアーム１２２ａ〜１２２ｃは、回転軸１２１の回転により一体的に揺動する。
【００２５】
ヘッドサスペンション１２３ａ〜１２３ｄは、薄い金属性の板バネ部材であり、基端部分がアーム１２２ａ〜１２２ｃの他端に取り付けられるとともに、先端部近傍においてヘッド１３ａ〜１３ｄを支持する。また、ヘッドサスペンション１２３ａ〜１２３ｄの先端部には、それぞれリフトタブ１２４ａ〜１２４ｄが形成されている。リフトタブ１２４ａ〜１２４ｄは、ヘッド支持機構１２がＶＣＭ１１により記録媒体１０ａ，１０ｂ上から記録媒体１０ａ，１０ｂ外へ向かう方向である退避方向へ揺動した際に、ランプ機構１４と係合する部材であり、ヘッドサスペンション１２３ａ〜１２３ｄの先端部から延在する形成された舌片である。以下、かかる退避方向をアンロード方向という。
【００２６】
このように、ヘッド支持機構１２は、ＶＣＭ１１の回転駆動により、アーム１２２ａ〜１２２ｃおよびヘッドサスペンション１２３ａ〜１２３ｄが回転軸１２１を中心として円弧状に揺動し、これに伴いヘッドサスペンション１２３ａ〜１２３ｄの先端に取り付けたヘッド１３ａ〜１３ｄを移動させる。なお、以下では、アーム１２２ａ〜１２２ｃのうち任意のアーム１２２ａ〜１２２ｃを単にアーム１２２とし、ヘッドサスペンション１２３ａ〜１２３ｄのうち任意のヘッドサスペンション１２３ａ〜１２３ｄを単にヘッドサスペンション１２３とする。同様に、リフトタブ１２４のうち任意のリフトタブ１２４ａ〜１２４ｄを単にリフトタブ１２４とする。
【００２７】
ヘッド１３ａ〜１３ｄは、記録媒体１０上の記憶領域において該記録媒体１０に対するデータの読出しや書込みを行う。また、ヘッド１３は、記録媒体１０の回転が停止した場合には、ヘッド支持機構１２の回動に伴って移動し、記録媒体１０から離間した退避位置へと退避する。なお、ヘッド１３ａ〜１３ｄのうち任意のヘッド１３ａ〜１３ｄを単にヘッド１３とする。
【００２８】
このように、記憶装置１は、所定の間隔で積層された２枚の記録媒体１０ａ，１０ｂと、各記録媒体１０ａ，１０ｂに対応する４つのヘッド１３ａ〜１３ｄと、各ヘッド１３ａ〜１３ｄを支持する４つのヘッドサスペンション１２３ａ〜１２３ｄと、各ヘッドサスペンション１２３ａ〜１２３ｄのヘッド１３ａ〜１３ｄ側の先端から延在する４つのリフトタブ１２４ａ〜１２４ｄとを備える。
【００２９】
ランプ機構１４は、ヘッド１３の移動範囲且つ記録媒体１０の外周端近傍に設置され、記録媒体１０の回転停止時においてヘッド１３を保持するため部材である。ランプ機構１４は、ＶＣＭ１１の駆動に伴って記録媒体１０上から記録媒体１０外へ移動してきたリフトタブ１２４と係合し、ヘッド支持機構１２およびヘッド１３を退避位置において固定する。
【００３０】
ランプ機構１４は、リフトタブ１２４を退避位置へと案内するランプスロープ部２００を備える。特に、本実施例にかかるランプ機構１４は、ランプスロープ部２００を回転機構としたことに主たる特徴を有する。図２に、本実施例にかかるランプスロープ部の外観図を示す。
【００３１】
図２に示すように、本実施例にかかるランプスロープ部２００は、１つの回転軸２１０と、４つの円盤２２０ａ〜２２０ｄとを備える。回転軸２１０は、円盤２２０ａ〜２２０ｄが記録媒体１０に対して平行となるように円盤２２０ａ〜２２０ｄを所定の間隔を開けて支持する。また、円盤２２０ａ〜２２０ｄは、回転軸２１０に回転可能に支持された略そろばん玉状の樹脂性部材であり、中心から外周方向に向かって傾斜する傾斜部２２１ａ〜２２１ｄを該円盤２２０ａ〜２２０ｄの外周端近傍に有する。この傾斜部２２１ａ〜２２１ｄは、アンロード時およびロード時におけるリフトタブ１２４との接触箇所となる。
【００３２】
円盤２２０ａ〜２２０ｄは、記録媒体１０上からヘッド１３とともに退避してきたリフトタブ１２４と接触した際のエネルギーにより回転軸２１０を中心としてアンロード方向に回転する。これにより、円盤２２０ａ〜２２０ｄは、リフトタブ１２４を退避位置へと案内し退避させる。このように、本実施例では、ランプスロープ部２００を回転機構としたことにより、リフトタブ１２４とランプ機構１４との摩擦を低減し、その結果、磨耗粉の発生を低減することができる。
【００３３】
続いて、上記ランプスロープ部２００を含むランプ機構１４全体の構成についてより具体的に説明する。図３−１は本実施例におけるランプ機構の平面図である。なお、以下において、円盤２２０ａ〜２２０ｄのうち任意の円盤２２０ａ〜２２０ｄを単に円盤２２０とし、傾斜部２２１ａ〜２２１ｄのうち任意の傾斜部２２１ａ〜２２１ｄを単に傾斜部２２１とする。
【００３４】
図３−１に示すように、ランプ機構１４は、ランプスロープ部２００と、本体部３００とを有する。本体部３００は、パーキング部３１０と、ジャンプストッパ３２０と、ネジ３３０と、連結部材３４０とを有する。パーキング部３１０は、本体部３００側面から突出した平坦面部分であり、アンロード動作により記録媒体１０上から退避してきたリフトタブ１２４を保持することで、ヘッド支持機構１２およびヘッド１３を退避位置に停止させておく。ジャンプストッパ３２０は、パーキング部３１０側面からさらに突出した平坦面部分であり、リフトタブ１２４がパーキング部３１０において停止した際のヘッド１３の跳ね上がりを抑制し、ヘッド１３同士の衝突を防止する。
【００３５】
ネジ３３０は、本体部３００と記憶装置１とを固定する部材である。また、連結部材３４０は、ランプスロープ部２００と本体部３００とを連結するための板状部材である。具体的には、連結部材３４０は、一端をネジ３３０により固定されるとともに、他端をランプスロープ部２００の回転軸２１０により固定される。これにより、連結部材３４０は、ランプスロープ部２００と本体部３００とを連結する。なお、本体部３００は、ネジ３３０を除き全て樹脂で形成される。
【００３６】
また、ランプ機構１４は、ランプスロープ部２００を本体部３００よりも記録媒体１０側に配置し、平面視においてランプスロープ部２００の外周端に形成された傾斜部２２１が記録媒体１０の外周端近傍と重なる位置に設けられている。すなわち、記録媒体１０上から退避してきたリフトタブ１２４は、最初にランプスロープ部２００に形成された傾斜部２２１と接触する。
【００３７】
図３−２に、本実施例におけるランプ機構の側面図を示す。図３−２に示すように、本体部３００の上部および下部には、それぞれ連結部材３４０ａ，３４０ｂが設けられており、回転軸２１０は、その両端をそれぞれ連結部材３４０ａ，３４０ｂに固定される。このように、回転軸２１０は、連結部材３４０ａ，３４０ｂにより本体部３００に両端を固定されるため、パーキング部３１０が形成された本体部３００とランプスロープ部２００とを一体とすることができる。
【００３８】
また、回転軸２１０には、ボールベアリング２１１が取り付けられており、このボールベアリング２１１によって、各円盤２２０が回転軸２１０に回転可能に支持される。特に、本実施例にかかるボールベアリング２１１は、各円盤２２０をアンロード方向にのみ回転可能とする一方向ベアリングである。すなわち、円盤２２０は、リフトタブ１２４のアンロード動作により記録媒体１０上から退避してきたリフトタブ１２４と接触した場合は、アンロード方向に回転するが、ヘッド１３のロード動作によりパーキング部３１０から移動してきたリフトタブと接触しても円盤２２０は回転しない。
【００３９】
また、回転軸２１０には、ｚ軸方向に沿って４つの円盤２２０ａ〜２２０ｄがボールベアリング２１１を介して所定の間隔で取り付けられている。円盤２２０ａ，２２０ｂは、記録媒体１０ａの外周端近傍を上下から挟み込むように設けられる。具体的には、円盤２２０ａは、記録媒体１０ａ上面の記録領域に対してデータの読み書きを行うヘッド１３ａに対応する円盤であり、記録媒体１０ａの上面よりもわずかに上方に位置する。また、円盤２２０ｂは、記録媒体１０ａ下面の記録領域に対してデータの読み書きを行うヘッド１３ｂに対応する円盤であり、記録媒体１０ｂの下面よりもわずかに下方に位置する。また、これら円盤２２０ａ，２２０ｂの傾斜部２２１ａ，２２１ｂは、それぞれ記録媒体１０ａの上面及び下面に向かって傾斜している。
【００４０】
同様に、円盤２２０ｃ，２２０ｄは、記録媒体１０ｂの外周端近傍を上下から挟み込むように設けられる。具体的には、円盤２２０ｃは、記録媒体１０ｂ上面の記録領域に対してデータの読み書きを行うヘッド１３ｃに対応する円盤であり、記録媒体１０ｂの上面よりも上方に位置する。また、円盤２２０ｂは、記録媒体１０ｂ下面の記録領域に対してデータの読み書きを行うヘッド１３ｄに対応する円盤であり、記録媒体１０ｂの下面よりもわずかに下方に位置する。また、これら円盤２２０ｃ，２２０ｄの傾斜部２２１ｃ，２２１ｄは、それぞれ記録媒体１０ｂの上面及び下面に向かって傾斜している。
【００４１】
なお、ランプスロープ部２００は、記録媒体１０ａに対応する円盤２２０ａ、２２０ｂの間および記録媒体１０ｂに対応する円盤２２０ｃ、２２０ｄの間に、それぞれジャンプストッパ２３０ａ，２３０ｂを備える。ジャンプストッパ２３０ａ，２３０ｂは、リフトタブ１２４が円盤２２０によりパーキング部３１０へと案内される際に、ヘッド１３同士が衝突することを防止する。
【００４２】
また、本体部３００には、各リフトタブ１２４ａ〜１２４ｄに対応する４つのパーキング部３１０ａ〜３１０ｄが形成されている。具体的には、パーキング部３１０ａ〜３１０ｄは、それぞれ円盤２２０ａ〜２２０ｄと連続するように、各円盤２２０ａ〜２２０ｄの傾斜部２２１ａ〜２２１ｄの極近傍に設けられる。また、本体部３００には、ヘッド１３ａとヘッド１３ｂとの衝突を防ぐためのジャンプストッパ３２０ａと、ヘッド１３ｃとヘッド１３ｄとの衝突を防ぐためのジャンプストッパ３２０ｂとが形成されている。
【００４３】
次に、本実施例にかかるランプ機構１４にヘッド１３を退避させる場合のリフトタブ１２４の動作について説明する。図４−１は、記録媒体１０上から退避してきたリフトタブ１２４がランプスロープ部２００に接触する様子を示した図、図４−２は、リフトタブ１２４が円盤２２０の回転に伴ってパーキング部３１０へと案内される様子を示した図、図４−３は、リフトタブ１２４がパーキング部３１０において保持される様子を示した図である。
【００４４】
図４−１に示すように、ヘッド支持機構１２が、ＶＣＭ１１の駆動により記録媒体１０上からアンロード方向へ揺動すると、ヘッドサスペンション１２３の先端に形成されたリフトタブ１２４が、円盤２２０の傾斜部２２１と接触する。
【００４５】
続いて、図４−２に示すように、円盤２２０は、リフトタブ１２４と接触した際の衝撃によって、回転軸２１０を中心としてアンロード方向に回転する。これにより、リフトタブ１２４は、ランプスロープ部２００上に支持された状態でパーキング部３１０へと案内される。なお、かかる場合、リフトタブ１２４は、アンロード方向への移動に伴い円盤２２０の傾斜部２２１を上るため、リフトタブ１２４と記録媒体１０とのｚ方向における距離が離れ、これに伴い記録媒体１０上のヘッド１３を記録媒体１０から引き剥がすことができる。
【００４６】
そして、図４−３に示すように、ランプスロープ部２００によってパーキング部３１０へと案内されたリフトタブ１２４は、ＶＣＭ１１によりブレーキがかけられ、退避位置であるパーキング部３１０で停止する。このように、本実施例にかかるランプ機構１４は、円盤２２０の回転により案内されたリフトタブ１２４を退避位置で保持するパーキング部３１０を備えることにより、記録媒体１０外に退避したリフトタブ１２４をより安定して保持しておくことができる。
【００４７】
このように、ランプスロープ部２００を回転機構とすることにより、リフトタブ１２４との接触による傾斜部２２１への衝撃が、円盤２２０の回転によって吸収されるため、リフトタブ１２４と傾斜部２２１との摩擦を低減することができ、その結果、磨耗粉の発生を大幅に抑えることができる。また、リフトタブ１２４は、傾斜部２２１と接触した後は、円盤２２０の回転によりランプスロープ部２００に固定された状態でパーキング部３１０へと案内されるため、ランプスロープ部２００との摩擦が生じず、これによっても磨耗粉の発生を大幅に抑えることができる。
【００４８】
一方、ヘッド１３のロード時において、パーキング部３１０に位置した状態のリフトタブ１２４は、ＶＣＭ１１の回転駆動に伴って記録媒体１０上への移動を開始すると、先ず、円盤２２０の傾斜部２２１と接触する。かかる場合、上述したように、回転軸２１０に設けられたボールベアリング２１１はアンロード方向にのみ回転可能な一方向ベアリングであるため、円盤２２０は、リフトタブ１２４と接触しても回転しない。そのため、リフトタブ１２４は、ロード時においては、ランプスロープ部２００上を摺動しながら記録媒体１０上へと移動することとなる。
【００４９】
このように、円盤２２０をヘッド１３のアンロード方向にのみ回転可能とすることにより、ヘッド１３のロード動作を安定して行うことができる。すなわち、上述したように、ヘッド１３のロード動作は、記録媒体１０を傷つけないよう慎重に行う必要があるが、ロード時において円盤２２０が回転した場合、ヘッド１３の記録媒体１０へ向かう速度が不安定になるおそれがある。具体的には、ボールベアリング２１１の回転摩擦は、温度変化等によって変化するため、ロード動作ごとに一定の速度とならないおそれがあり、ロード時の速度制御が困難となる。そこで、ロード時は円盤２２０を回転させないことにより、ロード時のヘッド１３の移動を安定して行うことができる。なお、ロード時におけるリフトタブ１２４の移動速度は、アンロード時の１０分の１程度と遅く、磨耗粉はほとんど発生量しないため、アンロード方向のみ回転可能としても、十分に磨耗粉の発生を低減することができる。
【００５０】
また、アンロード時において、リフトタブ１２４とランプスロープ部２００との接触位置が常に同じであった場合、ランプスロープ部２００における当該接触箇所のみが集中的に削られ、形状がいびつになるため、リフトタブ１２４とランプスロープ部２００との磨耗が促進されるおそれがある。しかし、本実施例のように、円盤２２０の回転方向をアンロード時に限定することにより、アンロード動作ごとにリフトタブ１２４とランプスロープ部２００との接触位置が変化するため、接触位置が常に同じである場合と比較して、磨耗粉の発生量を抑制することができる。
【００５１】
上述してきたように、本実施例にかかるランプ機構１４は、回転軸２１０と、回転軸２１０に回転可能に支持され、記録媒体１０上からヘッド１３とともに退避してきたリフトタブ１２４と接触することで当該退避方向に回転して、リフトタブ１２４を退避位置に案内して退避させる円盤２２０とを備えることにより、磨耗粉の発生をより確実に低減することができるという効果を奏する。
【００５２】
また、本実施例では、円盤２２０をアンロード方向のみ回転可能とすることにより、ロード時のヘッド１３の移動を安定して行うことができ、しかも、アンロード動作ごとにリフトタブ１２４と円盤２２０の傾斜部２２１との接触位置が変化するため、磨耗粉の発生量を抑制できる。
【００５３】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【００５４】
例えば、上記実施例では、回転軸２１０に備えられた１つのボールベアリング２１１により、４つの円盤２２０ａ〜２２０ｄが連動して回転することとしたが、回転軸２１０は、円盤２２０ａ〜２２００ｄに対応する４つのボールベアリング２１１を備えることとしてもよい。図５は、本実施例におけるランプスロープ部の他の一例を示す側面図である。なお、なお、既に説明した構成と同じものについては同一の符号を付し、その説明を省略する。
【００５５】
図５に示すように、回転軸２１０には、各円盤２２０ａ〜２２０ｄをそれぞれ回転させるための４つのボールベアリング２１１ａ〜２１１ｄが設けられている。これらボールベアリング２１１ａ〜２１１ｄは、上記実施例と同様、アンロード方向にのみ回転する一方向ベアリングである。
【００５６】
このように、回転軸２１０が、各円盤２２０ａ〜２２０ｄをそれぞれ独立に回転可能に支持することにより、各円盤２２０ａ〜２２０ｄを一括して回転させる場合と比較して、より少ないエネルギーでボールベアリング２１１を回転させることができる。すなわち、リフトタブ１２４との接触によって円盤２２０ａ〜２２０ｄをより確実に回転させることが可能となる。
【００５７】
また、４つのリフトタブ１２４ａ〜１２４ｄは、回転軸２１０の回転により一体的に揺動するものの、アンロード動作時において、円盤２２０ａ〜２２０ｄの傾斜部２２１ａ〜２２１ｄへの接触タイミングが微妙にずれる場合がある。そこで、各円盤２２０ａ〜２２０ｄをそれぞれ独立に回転可能とすることにより、特定のリフトタブ１２４に円盤２２０を回転させるための負荷が集中してかかることを防止することができる。
【００５８】
また、本実施例において、ランプ機構１４には、記憶装置１に設けられた４つのヘッド１３ａ〜１３ｄにそれぞれ対応する４つの円盤２２０ａ〜２２０ｄや４つのパーキング部３１０ａ〜３１０ｄを設けたが、ランプ機構１４は、必ずしも円盤２２０やパーキング部３１０を複数備える必要はない。すなわち、記憶装置１にヘッド１３が１つのみ設けられる場合、ランプ機構１４には、円盤２２０やパーキング３１０はそれぞれ１つずつ設けられていればよい。
【００５９】
また、本実施例において、ランプスロープ部２００に設けられた円盤２２０は、回転軸２１０に対して自由回転可能に支持されており、リフトタブ１２４との接触により回転することとしたが、これに限らず、円盤２２０は、モータ等により回転するようにしてもよい。具体的には、円盤２２０を回転させる駆動部と制御部を記憶装置に設け、ヘッド１３のアンロード時において、リフトタブ１２４が円盤２２０と接触するタイミングで円盤２２０を回転させるようにしてもよい。
【００６０】
以上の各実施例を含む実施形態に関し、さらに以下の付記を開示する。
【００６１】
（付記１）記録媒体上において該記録媒体に対するデータの読出し又は書込みを行うヘッドと、
前記ヘッドを支持するヘッドサスペンションと、
前記ヘッドサスペンションの前記ヘッド側の先端から延在するリフトタブと、
前記記録媒体から離間した退避位置において前記リフトタブを保持するランプ機構とを備え、
前記ランプ機構は、
回転軸と、
前記回転軸に回転可能に支持され、前記記録媒体上から前記ヘッドとともに退避してきたリフトタブと接触することで当該退避方向に回転して、前記リフトタブを前記退避位置に案内して退避させる円盤と
を備えたことを特徴とする記憶装置。
【００６２】
（付記２）前記回転軸は、前記円盤を前記退避方向のみ回転可能に支持することを特徴とする付記１に記載の記憶装置。
【００６３】
（付記３）前記円盤は、中心から外周方向に向かって傾斜する傾斜部を有し、前記記録媒体から退避してきたリフトタブが該傾斜部と接触することを特徴とする付記１又は２に記載の記憶装置。
【００６４】
（付記４）前記ランプ機構は、前記円盤の回転により案内されたリフトタブを前記退避位置で保持するパーキング部をさらに備えたことを特徴とする付記１〜３の何れか１つに記載の記憶装置。
【００６５】
（付記５）前記回転軸は、前記パーキング部が形成された本体部に両端を固定されることを特徴とする付記４に記載の記憶装置。
【００６６】
（付記６）所定の間隔で積層された複数の前記記録媒体と、各前記記録媒体に対応する複数の前記ヘッドと、各前記ヘッドを支持する複数のヘッドサスペンションと、各前記ヘッドサスペンションの前記ヘッド側の先端から延在する複数の前記リフトタブとを備え、
前記ランプ機構は、複数の前記ヘッドに対応する前記円盤を複数備え、
前記回転軸は、複数の円盤をそれぞれ独立に回転可能に支持する
ことを特徴とする付記１〜５の何れか１つに記載の記憶装置。
【００６７】
（付記７）ヘッドを支持するヘッドサスペンションの先端から延在するリフトタブを、前記記録媒体から離間した退避位置において保持するランプ機構であって、
回転軸と、
前記回転軸に回転可能に支持され、前記記録媒体上から前記ヘッドとともに退避してきたリフトタブと接触することで当該退避方向に回転して、前記リフトタブを前記退避位置に案内して退避させる円盤と
を備えたことを特徴とするランプ機構。
【００６８】
（付記８）前記回転軸は、前記円盤を前記退避方向のみ回転可能に支持することを特徴とする付記７に記載のランプ機構。
【００６９】
（付記９）前記円盤は、中心から外周方向に向かって傾斜する傾斜部を有し、前記記録媒体から退避してきたリフトタブが該傾斜部と接触することを特徴とする付記７又は８に記載のランプ機構。
【００７０】
（付記１０）前記ランプ機構は、前記円盤の回転により案内されたリフトタブを前記退避位置で保持するパーキング部をさらに備えたことを特徴とする付記７〜９の何れか１つに記載のランプ機構。
【００７１】
（付記１１）前記回転軸は、前記パーキング部が形成された本体部に両端を固定されることを特徴とする付記１０に記載のランプ機構。
【００７２】
（付記１２）前記回転軸は、複数の円盤をそれぞれ独立に回転可能に支持することを特徴とする付記７〜１１の何れか１つに記載のランプ機構。
【符号の説明】
【００７３】
１  記憶装置
１０ａ，１０ｂ  記録媒体
１１  ＶＣＭ
１２  ヘッド支持機構
１３ａ〜１３ｄ  ヘッド
１４  ランプ機構
１００  スピンドルモータ
１２１  回転軸
１２２ａ〜１２２ｃ  アーム
１２３ａ〜１２３ｄ  ヘッドサスペンション
１２４ａ〜１２４ｄ  リフトタブ
２００  ランプスロープ部
２１０  回転軸
２１１  ボールベアリング
２２０ａ〜２２０ｄ  円盤
２２１ａ〜２２１ｄ  傾斜部
２３０ａ，２３０ｂ  ジャンプストッパ
３００  本体部
３１０ａ〜３１０ｄ  パーキング部
３２０ａ，３２０ｂ  ジャンプストッパ
３３０  ネジ
３４０ａ，３４０ｂ  連結部材
【図１】
2010238343.tif 000003
【図２】
2010238343.tif 000004
【図３−１】
2010238343.tif 000005
【図３−２】
2010238343.tif 000006
【図４−１】
2010238343.tif 000007
【図４−２】
2010238343.tif 000008
【図４−３】
2010238343.tif 000009
【図５】
2010238343.tif 000010
【図６】
2010238343.tif 000011
【図７−１】
2010238343.tif 000012
【図７−２】
2010238343.tif 000013
【図８】
2010238343.tif 000014
【図９】
2010238343.tif 000015
【図１０】
2010238343.tif 000016